(57)【要約】【課題】ＬＥＤの曲がりによる明暗差の発生をなくし品質の安定したパチンコ機を提供する。【解決手段】ＬＥＤ１５とＬＥＤ用レンズ２２’を、プリント基板２０’に半田付けする。ＬＥＤ用レンズ２２’の上面で、それぞれのＬＥＤ１５に対応する位置に凸部２４を形成する。また、ＬＥＤ用レンズ２２’の下面に、ＬＥＤ１５が収納される凹部３５を形成する。更にこの凹部３５に、ＬＥＤ１５の向きを決定する凹部３６を、凸部２４に対応した位置に形成する。凹部３５の深さｈは、半田付けされたＬＥＤ１５の高さよりも浅く形成する。そして、凹部３５内に収納したそれぞれのＬＥＤ１５の一部を、凹部３５内に形成した凹部３６に挿入し、ＬＥＤ１５の向きを凹部３６が形成されている向きに固定する。【選択図】　　図２
2004057285.tif 000002
【特許請求の範囲】
【請求項１】
遊技盤上に設けられ、遊技状況を報知するために点灯および消灯動作を行なうＬＥＤと、
該ＬＥＤが半田付けにより実装されているプリント基板と、
前記ＬＥＤの前方に配設され、前記ＬＥＤの光の色を所定の色に変更させる、あるいはＬＥＤの視光性を向上させるためのＬＥＤ用レンズとを備えたパチンコ機において、
前記ＬＥＤ用レンズは前記プリント基板に取り付けられるとともに、
前記ＬＥＤ用レンズには、前記プリント基板に実装されたＬＥＤと対向する位置に、前記ＬＥＤの一部分が挿入されて該ＬＥＤの配設位置を決定する凹部が形成されていることを特徴とするパチンコ機。
【請求項２】
遊技盤上に設けられ、遊技状況を報知するために点灯および消灯動作を行なう複数のＬＥＤと、
該ＬＥＤが半田付けにより実装されているプリント基板と、
前記ＬＥＤの前方に配設され、前記ＬＥＤの光の色を所定の色に変更させる、あるいはＬＥＤの視光性を向上させるためのＬＥＤ用レンズとを備えたパチンコ機において、
前記ＬＥＤ用レンズは前記プリント基板に取り付けられるとともに、
前記ＬＥＤ用レンズには、前記プリント基板に実装されたＬＥＤを収納する凹部が形成されていることを特徴とするパチンコ機。
【発明の詳細な説明】
【０００１】
【発明の属する技術分野】
本発明は、ＬＥＤの視光性を向上させるための、あるいはＬＥＤを保護するためのＬＥＤ用レンズを備えたパチンコ機に関するものである。
【０００２】
【従来の技術】
パチンコ機の遊技盤面上に配置される、いわゆるセンター役物装置は、遊技者の興趣を引くために近年、益々大型化してきている。そして、遊技盤面上に配設される、各遊技状況を演出するための表示灯（賞球表示灯、完了表示灯等）には、遊技者の遊技意欲を向上させるために、各遊技状況を遊技者がより確実に認識できるような表示の他、より印象の強い演出表示が行われるようになってきている。
【０００３】
図５は、いわゆる第一種パチンコ機の遊技盤面の一形態を示すものであるが、遊技盤の中央部には役物装置が配置され、また、遊技盤の各所には複数の表示灯が配設されている。
遊技盤１上には、ハンドル（図示省略）操作によって打出された遊技球を誘導する略円弧状の外レール２ａ及び内レール２ｂが設けられ、この２つのレール２ａと２ｂによって囲まれた部分が遊技領域３を形成している。遊技盤１（遊技領域３）のほぼ中央にはセンター役物装置としての可変表示装置５が配設されている。可変表示装置５には複数の表示部６が設けられ、それらの表示部６には複数の図柄が変動表示、および停止表示される。
【０００４】
可変表示装置５の下側には、遊技球の入賞により可変表示装置５の表示部６に図柄の変動表示動作を開始させる始動入賞口９が配設されている。始動入賞口９の下側には、可変表示装置５の表示部に特定の図柄が停止表示したことを条件として継続して開放状態（大当たり状態）となる大入賞口１０が設けられている。大入賞口１０の左右両側には一般入賞口１１が設けられている。
【０００５】
内レール２ｂに沿った遊技領域３（図の左右両側）には、照明および表示用の表示灯からなる電飾部１２が設けられ、遊技状況に応じて点灯・消灯・点滅表示を行う。また、遊技盤１の上部左側には、遊技者に対して賞球が付与されたことを表示する賞球表示灯７が、上部右側には、大当たり遊技が完了したこと（いわゆる打ち止めとなったこと）を表示する完了表示灯８が設けられている。
【０００６】
さらに、可変表示装置５の上部には、ＬＥＤ１５（４個）が設けられ、このＬＥＤ１５の点灯している数によって、可変表示装置５の表示部６に図柄の変動表示が行なわれる保留回数が表示される。図柄の変動表示動作は遊技球の始動入賞口９への入賞に基づいて開始され、図柄の変動表示動作中にさらに次の遊技球が始動入賞口９へ入賞すると、保留変動表示として入賞した遊技球数分だけ（但し、最大４個まで）ＬＥＤ１５が点灯する。また、現在の変動表示動作が終了し、保留されている次の変動表示動作が開始すると、その保留変動表示に対応して点灯していたＬＥＤが消灯する。そして、この変動表示の結果、即ち、表示部６に停止表示された図柄が特定の図柄で停止表示した場合に、大当たり状態が発生することとなる。従って、ＬＥＤ１５の点灯は、大当たり状態を発生させ得る図柄の変動表示動作の保留回数を報知するものであり、遊技者が大きな関心を寄せる部分である。
【０００７】
図６は、図柄の変動表示の保留回数を示すＬＥＤが設けられている可変表示装置の一形態を示す。また、図７は、図６のＥ−Ｅ線における断面図であり、可変表示装置内に取り付けられているＬＥＤの様子を示している。
可変表示装置５’には表示部６が設けられ、表示部６の下側には４個のＬＥＤ１５が設けられている。ＬＥＤ１５はプリント基板２０に半田付けによって実装されており、プリント基板２０は、表示部枠２１にネジ止めされている。プリント基板２０に実装されたＬＥＤ１５の前方（図７の上側）には、所定の色に施されたＬＥＤ用レンズ２２が表示部枠２１にネジ止めされて配設されている。
【０００８】
それぞれのＬＥＤ１５の前方に位置する表示部枠２１には、窓２３（例えば、矩形状の窓）が設けられており、これらの窓２３へＬＥＤ用レンズ２２に形成された突起部２４が挿入されるような構造となっている。このようにＬＥＤ用レンズ２２がＬＥＤ１５の前方に配設されることにより、ＬＥＤ１５の光は可変表示装置５’の前方から窓２３を通してＬＥＤ用レンズ２２の所定の色に変更されて見える。
【０００９】
【発明が解決しようとする課題】
ところで、上述したように、図柄の変動表示動作の保留回数を報知するＬＥＤ１５は、大当たりの発生に対する遊技者の期待感を左右する表示であり、遊技者にとっては容易かつ確実に認識できることが望ましい。
しかしながら、ＬＥＤ１５は、プリント基板２０に半田付けのみによって固定されているため、表示部枠２１にプリント基板２０がネジ止めされる以前は勿論のこと、プリント基板２０がネジ止めされた後も外部から容易に接触できる状態で設けられている。従って、ＬＥＤ１５がプリント基板２０に対して略垂直に半田付けされたとしても、そのプリント基板を搬送する際、あるいは可変表示装置５’の組立作業の際にＬＥＤ１５に外力が加わりその向きが変化してしまうことも少なくない。そしてＬＥＤ１５の向きが変化すると、ＬＥＤの光が表示部枠２１の窓２３方向に十分に進行せず、可変表示装置５’の前方から見たときにそれぞれの窓２３から見えるＬＥＤ１５の光に明暗の差が生じてしまうという問題があった。
【００１０】
そこで、本発明は、上記課題に鑑みてなされたものであり、センター役物装置の組立段階における工数を減少させることができると共に、基板に実装されたＬＥＤに外力が加わりＬＥＤ間で生じていた明暗差の発生をなくし品質の安定したパチンコ機の提供を目的とするものである。
【００１１】
【課題を解決するための手段】
上記課題を解決するために、請求項１に係るパチンコ機の発明は、遊技盤上に設けられ、遊技状況を報知するために点灯および消灯動作を行なうＬＥＤと、該ＬＥＤが半田付けにより実装されているプリント基板と、前記ＬＥＤの前方に配設され、前記ＬＥＤの光の色を所定の色に変更させる、あるいはＬＥＤの視光性を向上させるためのＬＥＤ用レンズとを備えたパチンコ機において、前記ＬＥＤ用レンズは前記プリント基板に取り付けられるとともに、前記ＬＥＤ用レンズには、前記プリント基板に実装されたＬＥＤと対向する位置に、前記ＬＥＤの一部分が挿入されて該ＬＥＤの配設位置を決定する凹部が形成されていることを特徴とするものである。
【００１２】
本願に係るＬＥＤ用レンズをプリント基板に取り付けることにより、同プリント基板に実装されているＬＥＤの一部分が、ＬＥＤ用レンズに形成された凹部に挿入され、ＬＥＤの向きを決定すると共にＬＥＤを所定の位置に固定する。プリント基板に複数のＬＥＤを実装し、それぞれのＬＥＤに対して所定の方向性を有する凹部をＬＥＤ用レンズに形成することで、ＬＥＤ用レンズを通して見えるＬＥＤの光の明暗差を無くす。
【００１３】
また、請求項２に係るパチンコ機の発明は、遊技盤上に設けられ、遊技状況を報知するために点灯および消灯動作を行なう複数のＬＥＤと、該ＬＥＤが半田付けにより実装されているプリント基板と、前記ＬＥＤの前方に配設され、前記ＬＥＤの光の色を所定の色に変更させる、あるいはＬＥＤの視光性を向上させるためのＬＥＤ用レンズとを備えたパチンコ機において、前記ＬＥＤ用レンズは前記プリント基板に取り付けられるとともに、前記ＬＥＤ用レンズには、前記プリント基板に実装されたＬＥＤを収納する凹部が形成されていることを特徴とするものである。
【００１４】
本願に係るＬＥＤ用レンズをプリント基板に取り付けることにより、同プリント基板に実装されたＬＥＤの周囲をＬＥＤ用レンズによって覆い、ＬＥＤに対して加わる虞のある外力を防止する。ＬＥＤ用レンズの覆いによりＬＥＤの向きは、プリント基板に取り付けられた時の向きに保持されるので、ＬＥＤの曲がりにより生じていたＬＥＤ用レンズを通して見えるＬＥＤの光の明暗差は防止される。
【００１５】
【発明の実施の形態】
以下、本発明に係るパチンコ機のＬＥＤ用レンズの実施の形態を添付図面に基づいて説明する。
尚、本ＬＥＤ用レンズの形態は、従来例として説明した可変表示装置５’（図６）に用いられるＬＥＤ用レンズ２２を改良したものであるので、従来のパチンコ機および可変表示装置（図５〜図７）と同様の部材については同一の符号を付し、その詳細な説明は適宜省略する。
【００１６】
図１の（ａ）〜（ｄ）は、ＬＥＤ用レンズおよびその周辺部材の構成を示す図である。図（ａ）は、ＬＥＤおよびＬＥＤ用レンズが取り付けられるプリント基板２０’を示している。プリント基板２０’には、ＬＥＤの取り付けられる穴（２穴）３１が、プリント基板２０’の長手方向に沿って所定の間隔で形成されている（以下、ＬＥＤ用穴ともいう）。また、両端に形成されているＬＥＤ用穴３１のさらに外側には、ＬＥＤ用レンズの取り付けられる穴３２が形成されている（以下、レンズ用穴ともいう）。また、レンズ用穴３２のさらに外側には、プリント基板２０’をネジ止めするための穴３３が形成されている（以下、ネジ止め用穴ともいう）。さらに、プリント基板２０’の中央上部には、ＬＥＤ制御信号が供給されるコネクタの接続用穴３４が形成されている。
【００１７】
図（ｂ）は、プリント基板２０’のＬＥＤ用穴３１に取り付けられるＬＥＤ１５を示している。ＬＥＤ１５は半田付けによってプリント基板２０’に実装される。
図（ｃ）は、プリント基板２０’のレンズ用穴３２に取り付けられるＬＥＤ用レンズ２２’を示している。また、図（ｄ）は、図（ｃ）のＡ−Ａ線における断面図である。ＬＥＤ用レンズ２２’は、プリント基板２０’に取り付けられたときに同じくプリント基板２０’に取り付けられたＬＥＤ１５を覆うケース状をしている。
【００１８】
ＬＥＤ用レンズ２２’の上面（図（ｄ）において上側）には、プリント基板２０’に取り付けられるそれぞれのＬＥＤ１５に対応した位置（ＬＥＤ用穴３１が形成されている所定の間隔と同じ間隔）に突起部２４（以下、凸部ともいう）が形成されている。ＬＥＤ用レンズ２２’の下面（図（ｄ）において下側）には、プリント基板２０’に取り付けられたＬＥＤ１５が収納される凹部３５が形成され、さらにこの凹部３５には、収納されるＬＥＤ１５のそれぞれの位置を決定する凹部３６が形成されている。凹部３６は、凸部２４に対応した位置（それぞれの凸部２４の下側）に、凸部２４とその高さ、幅および向きを略等しくした形状に形成されている。また、ＬＥＤ用レンズ２２’の左右両側には、ＬＥＤ用レンズ２２’をプリント基板２０’（レンズ用穴３２）に取り付けるためのピン３７が設けられている（以下、レンズ取付ピンともいう）。レンズ取付ピン３７はＬＥＤ用レンズ２２’にインサート成形されている。
【００１９】
図２は、図１の（ａ）、（ｂ）、および（ｃ）［あるいは（ｄ）］を、即ち、プリント基板２０’、ＬＥＤ１５、およびＬＥＤ用レンズ２２’を組合せたものである。ＬＥＤ１５とＬＥＤ用レンズ２２’は、プリント基板２０’にそれぞれ半田付けによって固定され、ＬＥＤ用レンズ２２’の凹部３５内にＬＥＤ１５が収納されるように配置されている。ＬＥＤ１５は全てが略同じ高さになるようにプリント基板２０’に半田付けされており、また、凹部３５の深さｈは、プリント基板２０’に半田付けされたＬＥＤ１５の高さよりも浅く形成されている。そして、凹部３５内に収納されたそれぞれのＬＥＤ１５の発光部の一部（上部分）が、凹部３５内に形成されたそれぞれの凹部３６に挿入された状態で配設され、形成されている凹部３６の向きによってＬＥＤ１５の向きが決定されている。
【００２０】
図３は、図２に示すプリント基板２０’とＬＥＤ１５とＬＥＤ用レンズ２２’との組合せ部材を、プリント基板２０’に設けられたネジ止め用穴３３を介して可変表示装置５’の表示部枠２１に、ネジ止めした状態を示している。表示部枠２１には、ＬＥＤ１５用の表示窓２３が設けられており、これらの表示窓２３へＬＥＤ用レンズ２２’に形成された凸部２４が挿入される構造となっている。
【００２１】
ＬＥＤ用レンズ２２’に設けられたそれぞれの凹部３６の向きは、対応するそれぞれの凸部２４の向きと同じ向きに形成されているので、凹部３６に収納されたＬＥＤ１５から放射される光は、凸部２４の形成されている方向に沿って進行する。従って、この光は、凸部２４が挿入されている表示窓２３から可変表示装置５’（図６）の正面方向、即ち、遊技者の方向へ進行するので、ＬＥＤ１５の取付け曲がりによる明暗差の発生を防止することができ、表示窓２３から見えるＬＥＤ１５の光をいずれも同様に見せることができる。
また、ＬＥＤ１５は、凹部３６に挿入されその位置が決定されると共に、ＬＥＤ用レンズ２２’によって周囲が覆われるので、外力が加わることによるＬＥＤ１５の曲がりの発生は防止される。
【００２２】
さらに、ＬＥＤ１５の位置を決定するために、ＬＥＤの上部の一部のみを挿入しているので、ＬＥＤ用レンズ２２’には最小限の深さの凹部３６を形成すれば足り、ＬＥＤ用レンズ２２’の成形が比較的容易である。
またさらに、ＬＥＤ１５が凹部３６に挿入される構成をとるので、パチンコ機の製造工程において、ＬＥＤ１５の脚をＬＥＤ用穴３１に挿入し、凹部３６にＬＥＤ１５を挿入させ、且つレンズ取付ピン３７をレンズ用穴３２に挿入させた状態で半田漕を流し、ＬＥＤ１５とＬＥＤ用レンズ２２’とを同じに半田付けすることができる。
【００２３】
図４は、ＬＥＤ用レンズの別の一形態を示すものである。図３と同様にプリント基板２０’とＬＥＤ１５とＬＥＤ用レンズとの組合せ部材を、プリント基板にネジ止めした状態を示している。ＬＥＤ用レンズ２２”は、プリント基板２０’に取り付けられたとき、同じくプリント基板２０’に取り付けられたＬＥＤ１５を覆うケース状を有している。ＬＥＤ用レンズ２２”の上面（図４において上側）には、プリント基板２０’に取り付けられるそれぞれのＬＥＤ１５に対応した位置［ＬＥＤ用穴３１（図１）の真上方向］に凸部２４が形成されている。
【００２４】
また、ＬＥＤ用レンズ２２”の下面（図４において下側）には、プリント基板２０’に取り付けられているＬＥＤ１５が収納される凹部３５が形成されている。ＬＥＤ１５はいずれも略垂直で同じ高さとなるようにプリント基板２０’に半田付けされており、また、凹部３５の深さｈ’は、プリント基板２０’に半田付けされたＬＥＤ１５の高さよりも深く形成されている。従って、ＬＥＤ１５は、図３に示す実施の形態と異なり、ＬＥＤ用レンズ２２”に接触することなく（ＬＥＤ用レンズ２２”によって向きを決定されることなく）凹部３５内に収納されている。
【００２５】
ＬＥＤ１５から放射された光は、略垂直に半田付けされたＬＥＤ１５の向きに沿って進行し、さらにＬＥＤ１５に対応した位置に形成されている凸部２４方向に進む。そして、凸部２４が挿入されている表示部枠２１に形成された表示窓２３から可変表示装置５’（図６）の正面方向、即ち、遊技者の方向へ進行する。従って、プリント基板２０’に半田付けされたＬＥＤ１５は、ＬＥＤ用レンズ２２”によって外部から保護され、取付け時の向きが保持されるので、外力の影響（ＬＥＤ１５の曲がり）によるＬＥＤ１５間の明暗差の発生を防止することができ、表示窓２３から見えるＬＥＤ１５の光をいずれも同様に見せることができる。また、凹部３５の形状は単一であるため、ＬＥＤ用レンズ２２”の成形が容易である。
【００２６】
尚、上述した実施の形態では、可変表示装置に設けられた図柄の変動表示の保留回数を表示する表示灯について説明したが、この形態に限定されるものではなく、表示灯と表示灯用レンズを備えた部材であって、パチンコ機の組立時あるいは組立以前の部材の搬送時において、外力が加わることにより予め設定されている所定の設置状態に変化が生じる虞のある部材であれば適用することができ、同様の効果を得ることができる。
【００２７】
【発明の効果】
本願の請求項１に係る発明によれば、役物装置の組立段階におけるＬＥＤ用レンズのネジ止め作業を削除することができる。また、ＬＥＤ用レンズに形成された凹部によってＬＥＤの配設位置が決定されるので、外力が加わることにより生じていたＬＥＤの曲がりを防止することができ、ＬＥＤ間の明暗差の発生をなくし品質の安定したパチンコ機を提供することができる。
【００２８】
本願の請求項２に係る発明によれば、ＬＥＤ用レンズに形成された凹部によりＬＥＤが覆われて外部から遮断されるので、外力が加わることにより生じていたＬＥＤの曲がりを防止することができ、ＬＥＤ間の明暗差の発生をなくし品質の安定したパチンコ機を提供することができる。また、役物装置の組立段階におけるＬＥＤ用レンズのネジ止め作業を削除することができる。
【図面の簡単な説明】
【図１】（ａ）は、本発明に係るパチンコ機のプリント基板の一形態を示す図である。
（ｂ）は、（ａ）に取り付けられる表示灯の一形態を示す図である。
（ｃ）は、（ａ）に取り付けられるＬＥＤ用レンズの一形態を示す図である。
（ｄ）は、（ｃ）のＡ−Ａ線における断面図である。
【図２】図１（ａ）〜（ｃ）の部材を組合せた状態を示す図である。
【図３】図２の部材を可変表示装置の表示部枠に取り付けた状態を示す図である。
【図４】本発明に係るＬＥＤ用レンズの別の形態を示す図である。
【図５】従来の、パチンコ機の遊技盤面の一形態を示す図である。
【図６】従来の、パチンコ機の可変表示装置の一形態を示す図である。
【図７】図６のＥ−Ｅ線における断面図であり、可変表示装置内に取り付けられているＬＥＤおよびＬＥＤ用レンズを示す図である。
【符号の説明】
１　　遊技盤
３　　遊技領域
５　　可変表示装置
９　　始動入賞口
１０　大入賞口
１５　ＬＥＤ
２０’　　プリント基板
２１　表示部枠
２２’、２２”　　ＬＥＤ用レンズ
２４　凸部
３１　ＬＥＤ用穴
３２　レンズ用穴
３３　ネジ止め用穴
３５、３６　凹部
３７　レンズ取付ピン
【図１】
2004057285.tif 000003
【図２】
2004057285.tif 000004
【図３】
2004057285.tif 000005
【図４】
2004057285.tif 000006
【図５】
2004057285.tif 000007
【図６】
2004057285.tif 000008
【図７】
2004057285.tif 000009